(57)【要約】【課題】画面の清掃を要する領域を表示可能で、画面を効率良く清掃できる表示装置を提供する。【解決手段】本発明は、表示を行なう画面を備えた表示装置であって、画面にタッチすることで入力可能なタッチパネルが設けられた表示部と、画面のタッチされた領域を示す位置情報を取得し、該位置情報に基いて前記タッチされた領域のタッチ回数を更新するタッチ回数カウント部と、タッチ回数が規定値以上である領域のみを清掃対象領域に設定する清掃状態判定部と、表示部の設定を、画面に清掃対象領域を表示させる清掃モードに切り替える表示指示部と、を備える。【選択図】図１
2010165174.tif 000002
【特許請求の範囲】
【請求項１】
表示を行なう画面を備えた表示装置であって、
前記画面にタッチすることで入力可能なタッチパネルが設けられた表示部と、
前記画面のタッチされた領域を示す位置情報を取得し、該位置情報に基いて前記タッチされた領域のタッチ回数を更新するタッチ回数カウント部と、
前記タッチ回数が前記規定値以上である領域のみを清掃対象領域に設定する清掃状態判定部と、
前記表示部の設定を、前記画面に前記清掃対象領域を表示させる清掃モードに切り替える表示指示部と、を備える表示装置。
【請求項２】
請求項１に記載の表示装置であって、
前記清掃状態判定部によって、前記画面の前記タッチされた領域ごとに前記タッチ回数を関連付けた清掃状態情報が作成され、前記清掃状態情報が記憶される記憶部を備える表示装置。
【請求項３】
請求項１又は２に記載の表示装置であって、
前記タッチパネルが前記画面を分割する複数の検出エリアを有し、前記複数の検出エリアそれぞれに前記位置情報が設定されている表示装置。
【請求項４】
請求項３に記載の表示装置であって、
前記タッチ回数カウント部が、前記タッチされた領域に含まれる検出エリアの前記位置情報に基いて、前記検出エリアの前記タッチ回数を更新し、
前記清掃状態判定部が、前記検出エリアのうち前記タッチ回数が前記規定値以上の検出エリアを前記清掃対象領域に設定する表示装置。
【請求項５】
請求項１から４のいずれか１つに記載の表示装置であって、
前記画面に前記清掃対象領域が分離して複数表示された場合に、全部の前記清掃対象領域を少なくとも一回は通過する単一の線を算出する清掃支援表示作成部を備え、前記画面の清掃が行なわれる際に前記線を前記画面に表示する表示装置。
【請求項６】
請求項５に記載の表示装置であって、
前記清掃支援表示作成部が、前記清掃対象領域の前記タッチ回数に応じて、該清掃対象領域と前記単一の線との重複部分の表示形式を変更する表示装置。
【請求項７】
請求項１から６のいずれか１つに記載の表示装置であって、
前記画面に対するタッチの面積を検出し、前記面積が所定の範囲内である場合には指によるタッチであると判断して前記タッチされた領域の前記タッチ回数の更新を許可し、前記面積が所定の範囲外である場合には指以外によるタッチであると判断して前記タッチされた領域の前記タッチ回数の更新を禁止するタッチ面積判定部を備える表示装置。
【請求項８】
請求項１から７のいずれか１つに記載の表示装置であって、
前記画面にタッチによって入力が行なわれるためのタッチ入力領域が表示されている状態で、前記タッチされた領域の前記位置情報が該タッチされた領域に隣接する領域の前記位置情報に逐次変化していることを検出すると、前記タッチ入力領域のタッチを入力として検出する処理を禁止する不感状態に変更する表示装置。
【請求項９】
請求項１から８のいずれか１つに記載の表示装置であって、
前記画面のタッチの検出を含む一部の機能だけを許可する省電力モードに設定し、前記省電力モードの間、前記タッチされた領域の前記タッチ回数を更新する表示装置。
【発明の詳細な説明】
【技術分野】
【０００１】
本発明は、タッチパネルを備えた表示装置に関する。
【背景技術】
【０００２】
現在、携帯型電子機器等の情報端末にはタッチパネルを備えた表示装置が普及している。タッチパネルは、表示装置に表示される画面に指やタッチペンを接触させることで、画面から直接入力を行なうことができる。タッチパネルを備えた表示装置では、指から付着する異物によって画面が汚れてしまうため、画面を清掃する必要がある。
【０００３】
タッチパネルを備えた表示装置において画面を清掃する方法としては、例えば下記特許文献１に示すものがある。特許文献１の清掃方法は、画面を清掃する際に該画面の拭いた場所より順次新たな画面表示させるものであって、画面の拭き残しや拭き忘れの防止を図ったものである。
【先行技術文献】
【特許文献】
【０００４】
【特許文献１】特開２００５−３０１５６９号公報
【発明の概要】
【発明が解決しようとする課題】
【０００５】
ところで、タッチパネルを備えた表示装置の画面は、該画面の位置において汚れ易い領域と、それほど汚れない領域とが存在する。例えば、画面にはタッチによって入力を行なうための表示ボタンが表示され、表示ボタンが表示されている領域は頻繁に指でタッチされるためどうしても汚れ易い傾向がある。一方で、表示ボタンが表示されている領域以外の場所は、表示ボタンが表示されている領域に比べて指でタッチされることが少ないため汚れにくい傾向がある。このため、ユーザが画面を清掃する際には、必ずしも画面全体を清掃する必要がなく、画面の汚れやすい領域だけを清掃すれば十分である。しかし、ユーザは、表示装置を使用している際や画面を清掃する際に、画面のどこの場所が清掃を要する程度に汚れているのか視覚的に判断できなかった。画面の清掃時に画面のうち汚れている領域のみが表示されれば、画面の全体を清掃する手間を回避することができて使い勝手が良いが、そのような表示装置は提案されていなかった。
【０００６】
本発明は、上記事情に鑑みてなされたもので、その目的は、画面の汚れ易くて清掃を要する領域を表示可能な表示装置を提供することである。
【課題を解決するための手段】
【０００７】
本発明は、表示を行なう画面を備えた表示装置であって、
前記画面にタッチすることで入力可能なタッチパネルが設けられた表示部と、
前記画面のタッチされた領域を示す位置情報を取得し、該位置情報に基いて前記タッチされた領域のタッチ回数を更新するタッチ回数カウント部と、
前記タッチ回数が前記規定値以上である領域のみを清掃対象領域に設定する清掃状態判定部と、
前記表示部の設定を、前記画面に前記清掃対象領域を表示させる清掃モードに切り替える表示指示部と、を備える表示装置である。
【０００８】
本発明の表示装置は、ユーザが指やタッチペンで画面にタッチしたときに、画面のタッチされた領域の位置情報とタッチ回数を検出し、タッチされた領域のタッチ回数に基いて頻繁にタッチされる領域を清掃対象領域として設定し、清掃対象領域を画面に表示することができる。ユーザは、画面に表示された清掃対象領域を視認することで、画面内のどの領域が汚れているのかを判断することができる。また、ユーザは、画面に表示された清掃対象領域のみを清掃すればよく、画面の全体を清掃する必要がない。このため、画面の汚れ易い領域のみを重点的に清掃でき、また、汚れにくい領域を頻繁に清掃する必要がなく、画面の全体が汚れないように清掃を効率良く行なうことができる。
【発明の効果】
【０００９】
本発明によれば、画面の清掃を要する領域を表示可能で、画面を効率良く清掃できる表示装置を提供できる。
【図面の簡単な説明】
【００１０】
【図１】表示装置の概略的な構成を示すブロック図である。
【図２】表示装置の画面を平面視した状態を模式的に示す図である。
【図３】表示制御部の構成の一例を示す図である。
【図４】清掃状態情報の例を示す図である。
【図５】表示装置を用いて画面の清掃対象領域を設定する手順を含むフローチャートである。
【図６】図５に示した手順に続く手順を示すフローチャートである。
【図７】タッチパネルの画面に清掃対象領域を表示している状態を説明する図である。
【図８】清掃モードにおいて、画面に清掃対象領域を表示するときの他の例を説明する図である。
【図９】画面に対するタッチの面積に応じてタッチ回数の更新処理を変更する例を示す図である。
【図１０】画面に触れている指が画面上を移動している状態を説明する図である。
【図１１】画面の一部を不感状態に設定する手順を示すフローチャートである。
【図１２】省電力モードの動作の手順の一例を示すフローチャートである。
【発明を実施するための形態】
【００１１】
以下、本発明の実施形態を図面に基づいて詳しく説明する。
【００１２】
図１は、表示装置の概略的な構成を示すブロック図である。図２は、表示装置の画面を平面視した状態を模式的に示す図である。
表示装置１０は、画面にユーザがタッチすることで入力可能なタッチパネル１４が設けられた表示部１２を備えている。
【００１３】
表示装置１０は、表示部１２の画面の表示を制御する表示制御部２０と、画面内のタッチされた領域ごとにタッチ回数を関連付けた清掃状態情報を記憶可能な記憶部１６と備えている。清掃状態情報の具体的な例については後述する。
【００１４】
なお、表示装置１０は、タッチパネル１４を用いてユーザが画面から入力を行なう装置であれば適用することができる。例えば、表示装置１０としては、デジタルカメラ、携帯電話、ＰＤＡ（Personal Digital Assistants）等の携帯型の電子機器の画面表示を行なう部分に適用することができる。
【００１５】
タッチパネル１４の構成は、例えばアナログ抵抗膜方式とすることができる。アナログ抵抗膜方式では、画面表面側に設けられたＰＥＴなどの透明フィルムとガラス基板とが並行に配置され、透明フィルムとガラス基板との互いに向き合う各面に透明導電膜（例えばＩＴＯ）が形成されている。ユーザが指で画面をタッチした際に、指で押圧された部分の透明フィルム側及びガラス基板側の透明導電膜同士が接触することで電気が通電し、この電気を情報として出力することでタッチを認識することができる。なお、タッチパネル１４の構成は特に限定されない。
【００１６】
図２に示すように、タッチパネル１４の画面には、表示装置１０に接続されたコンピュータ等のプログラムを実行させるための操作項目などを、ユーザに対して視覚的に案内する情報が表示される。画面には、所望の操作項目をユーザが選択できるように、指やタッチペンでタッチすることで入力を行なうことができるタッチ入力領域１４ａが表示される。タッチ入力領域１４ａは、例えば、画面に表示されたボタンやアイコン等である。
【００１７】
タッチパネル１４は、画面のタッチを検出する検出部Ａを備えている。検出部Ａは、画面を分割する複数の検出エリアを有している。図２では、ａ１，ａ２・・・で示した各エリアを検出エリアとする。複数の検出エリアのそれぞれが、画面に対する位置に基いて設定された位置情報を有している。位置情報としては、例えば、画面をｘ−ｙからなる２次元の平面で表した場合の位置座標（ｘ，ｙ）で表される情報を用いることができる。タッチパネルの画面にユーザがタッチした場合、タッチされた位置にある検出エリアの位置情報が生成され、該位置情報を含む検出信号がタッチパネル１４から表示制御部２０に出力される。画面にタッチがあった際に、同時にタッチが検出される１つ又は複数の検出エリアに相当する画面上の領域をタッチされた領域とする。
【００１８】
図３は、表示制御部の構成の一例を示す図である。表示制御部２０には、タッチ回数カウント部２２と、清掃状態判定部２４と、タッチ面積判定部２６と、清掃支援表示作成部２７と、表示指示部２８とが設けられている。
【００１９】
タッチ回数カウント部２２は、タッチされた領域の位置情報を取得し、該位置情報に基いてタッチされた領域のタッチ回数を更新する。タッチされた領域のタッチ回数の更新があると、タッチされた領域の位置情報と更新されたタッチ回数が清掃状態判定部２２に出力される。
【００２０】
具体的には、表示装置１０の初期起動時には、全ての検出エリアのタッチ回数が０回に設定されている。画面にタッチがあった場合には、タッチされた領域に含まれる全ての検出エリアについてタッチ回数を１回に更新する。そして、タッチ回数の更新があった検出エリアの位置情報がそのタッチ回数とともに清掃状態判定部２４に出力される。同様に、画面にタッチがある毎に、タッチされた領域に含まれる検出エリアのタッチ回数を更新する。また、表示装置１０は、画面の清掃が行なわれたと判断した場合には、清掃された領域に応じた検出エリアのタッチ回数を０回に更新する。
【００２１】
表示装置１０は、画面にプログラムを実行させるための操作項目を表示する通常モードと、画面の清掃時に清掃を行なう対象として推奨される領域（清掃対象領域）を表示する清掃モードとを含む。
【００２２】
清掃状態判定部２４は、タッチされた領域と該タッチされた領域の更新されたタッチ回数とをタッチ回数カウント部２２から取得する。そして、清掃状態判定部２４は、画面のタッチされた領域ごとにタッチ回数を関連付けた清掃状態情報を作成する。清掃状態情報は、記憶部１６に記憶される。
【００２３】
図４は、清掃状態情報の例を示す図である。図４に示すように、清掃状態情報として、検出エリアａ１〜ａ４ごとに、位置情報（ｘ，ｙ）と、タッチ回数ｎ１〜ｎ４（ｎ１〜ｎ４はいずれも０を含む自然数とする。）を互いに関連付けたデータを用いる。清掃状態情報は、更に、検出エリアａ１〜ａ４ごとに、タッチ回数に基いてＯＮ／ＯＦＦが設定される清掃要否判定フラグを含んでいてもよい。
【００２４】
清掃状態判定部２４は、タッチされた領域のタッチ回数が規定値以上であると判断した場合に、タッチ回数が規定値以上である領域のみを清掃対象領域に設定する。例えば、規定値が５回に設定されている場合、清掃状態判定部２４が清掃状態情報に基いてタッチされた領域に含まれる検出エリアａ３のタッチ回数が５回以上となったと判断すると、検出エリアａ３に対応する清掃要否判定フラグをＯＮとし、この検出エリアａ３を清掃対象領域に設定する。このとき、清掃状態判定部２４は、タッチ回数が５回に満たない他の検出エリアは、清掃要否判定フラグをＯＦＦのままとし、清掃対象領域に設定しない。なお、タッチ回数の規定値は、ユーザ自身が予め所望の数値を設定してもよい。または、複数のレベルのそれぞれに互いに異なるタッチ回数が設定され、これら複数のレベルのうち予め選択されたレベルに設定されているタッチ回数が規定値として設定されてもよい。
【００２５】
画面に表示されるタッチ入力領域１４ａのように、ユーザによって頻繁に指でタッチされる領域は、タッチされる領域のタッチ回数の更新が多くなり、この結果、タッチ入力領域以外の領域に比べて、清掃対象領域に設定されやすくなる。
【００２６】
表示指示部２８は、ユーザが入力した指示信号やその他清掃モードに変更する旨の信号が入力された場合に、表示部１２の設定を、清掃対象領域を表示させる清掃モードに切り換える。また、表示指示部２８は、表示装置１０が清掃モードに設定されている状態で、清掃モードの終了する旨の指示信号が入力されると、清掃モードから通常モードへ設定を戻す。また、表示指示部２８は、清掃支援表示作成部２７からの入力に応じて、清掃モード時に、清掃対象領域の表示に加え、ユーザの清掃を支援する表示を行なうように表示部１２を制御する。清掃支援表示作成部２７の機能については後述する。
【００２７】
タッチ面積判定部２６は、同時にタッチを検出した検出エリアの数をタッチ面積と規定し、このタッチ面積の大きさを予め設定された範囲と比較することで、画面にタッチをした物体が何であるか判定する。ここで、画面にタッチする物体としては、人間の指や、タッチペンなどの入力手段や、清掃時に画面表面を拭き取る布等が考えられる。タッチ面積の判定の手法については、後述する。
【００２８】
図５は、表示装置を用いて画面の清掃対象領域を設定する手順を含むフローチャートである。図６は、図５に示した手順に続く手順を示すフローチャートである。なお、以下の手順では、図１等で既に説明した表示装置１０の構成を適宜参照するものとし、既に説明した部材やその機能については再度説明せず、省略又は簡略する。
【００２９】
最初に、タッチパネル１４の通電状態をＯＮとする（ステップＳ１）。このとき、タッチパネル１４の画面には、操作項目が表示される。
【００３０】
表示装置１０は、タッチパネル１４の画面に対するタッチの有無を検出エリアからの検出信号を基に常時検出する（ステップＳ２）。
【００３１】
画面がタッチされると、タッチされた領域に含まれる検出エリアから位置情報を含む検出信号がタッチ回数カウント部２２に入力される。タッチ回数カウント部２２は、タッチされた領域に含まれる全ての検出エリアのタッチ回数をそれぞれ更新する（ステップＳ３）。タッチされた領域に含まれる検出エリアの位置情報と検出エリアごとのタッチ回数が清掃状態判定部２４に入力される。
【００３２】
清掃状態判定部２４は、清掃状態情報を作成し、該清掃状態情報に基いてタッチ回数が規定値（例えば５回）以上となる検出エリアがあるか判別する（ステップＳ４）。タッチ回数が規定値以上となる検出エリアがない場合には、そのまま画面のタッチの有無を検出する状態を維持する。
【００３３】
清掃状態判定部２４は、清掃状態情報を記憶部１６に記憶させる。清掃状態情報のタッチ回数が更新されるごとに記憶部１６に記憶させてもよい。または、通常モード及び清掃モードの間で切り替えを行う前後に、記憶部１６に清掃状態情報の記憶を行なってもよい。
【００３４】
タッチ回数が規定値以上となる検出エリアがある場合には、規定値以上となった検出エリアの位置情報に基づいて、画面の該検出エリアに対応する領域を清掃対象領域に設定する（ステップＳ５）。
【００３５】
清掃状態判定部２４は、清掃対象領域に設定された全ての検出エリアの位置情報を、表示指示部２８に通知する（ステップＳ６）。いずれかの検出エリアが清掃対象領域に設定されている場合には、表示装置１０は、清掃対象領域が存在することをユーザに通知するメッセージや清掃モードの実行をユーザに促すメッセージを画面に表示させてもよい。
【００３６】
次に、清掃モードを実行する指示信号を検出する（ステップＳ７）。清掃モードを実行する指示信号がない場合には、ステップＳ２からステップＳ５の手順と同様に、タッチパネルによって画面のタッチの有無の検出を継続する。なお、表示指示部２８は、清掃対象領域が存在する場合には、清掃モードを実行する指示信号の受信を待つことなく、直ちに画面を清掃モードの設定に切り換えてもよい。
【００３７】
表示指示部２８は、清掃モードを実行する指示信号を受信すると、表示部１２の設定を清掃モードに切り換え、画面に清掃対象領域を表示させる（ステップＳ８）。
【００３８】
図７は、タッチパネルの画面に清掃対象領域を表示している状態を説明する図である。画面において、清掃対象領域Ｄは、清掃対象領域Ｄ以外の他の領域と視覚的に区別できるように表示される。清掃対象領域Ｄの表示方法としては、例えば、清掃対象領域Ｄの表示色を他の領域の表示色に対して変更した画面を表示する方法がある。または、その他の表示方法として、清掃対象領域Ｄと他の領域とに境界線を合成した画面を表示する方法がある。清掃対象領域Ｄの表示方法は特に限定されず、該清掃対象領域Ｄを他の領域に対して画面上で視覚的に識別可能な範囲で適宜変更可能である。
【００３９】
次に、表示部１２の設定が清掃モードに設定されている状態で、画面のタッチされている領域を、タッチパネル１４の検出エリアからの検出信号に基いて判定する。清掃モード時においても通常モード時と同様に、タッチされている領域の位置の判定は、タッチパネル１４の検出エリアの位置情報に基いて行なう。清掃モードが設定されている状態では、ユーザが指や布を画面にタッチさせて拭くことで、清掃を実行していると考えられる。このため、表示装置１０は、清掃モード時には、タッチされた領域は清掃が行なわれた領域であると判断する。具体的には、清掃状態判定部２４は、清掃モード時にタッチパネル１４の検出エリアから検出信号を取得する。そして、該検出信号に含まれる位置情報に基いて、清掃対象領域に含まれる検出エリアの位置情報と比較し、位置情報が一致した場合に、一致した位置情報に対応する検出エリアを清掃対象領域から解除する。このとき、一致した位置情報に対応する検出エリアのタッチ回数が０回に書き換えられる。こうすることで、タッチされた領域が清掃対象領域と重複する場合には、その重複する領域の清掃対象領域の設定を解除することができる（ステップＳ１０）。
【００４０】
清掃対象領域の設定を解除されると、解除された領域について画面の表示を更新する（ステップＳ１１）。例えば、清掃対象領域の表示色を他の領域の表示色に対して変更して表示している場合には、解除された領域の表示色を他の領域の表示色や、清掃された領域であることを表す表示色に変更する。
【００４１】
清掃が終了したか否かを判定する手順を実行する（ステップＳ１２）。清掃が終了してない場合には、継続して表示部１２の設定を清掃モードに維持する。
【００４２】
表示指示部２８は、清掃状態判定部２６が画面の清掃対象領域の設定が全て解除されたことを検出すると、清掃モードを解除して通常モードに戻す制御を実行する（ステップＳ１３）。なお、表示指示部２８は、ユーザから入力された清掃モード完了をする指示信号に応じて、通常モードに戻す制御を実行してもよい。
【００４３】
図８は、清掃モードにおいて、画面に清掃対象領域を表示するときの他の例を説明する図である。図８に示すように、画面に清掃対象領域Ｄが分離して複数表示された場合に、清掃支援表示作成部２７が、全部の清掃対象領域Ｄを少なくとも一回は通過する単一の線Ｌを算出する。そして、算出された線Ｌを、表示指示部２８を介して表示部１２に表示させることができる。
【００４４】
清掃支援表示作成部２７は、清掃状態情報に基いて複数の清掃対象領域Ｄそれぞれの位置情報を取得し、取得した位置情報に基いて線Ｌの位置情報を算出するする。そして、清掃支援表示作成部２７で算出された線Ｌの位置情報を表示指示部２８へ読み出し、清掃モード設定時に、表示指示部２８を介して表示部１２に清掃対象領域Ｄとともに線Ｌを表示させる。算出する線Ｌとしては、例えば、清掃対象領域Ｄ同士をできるだけ短い距離で結ぶことができ、かつ、線Ｌができるだけ交差しないことを条件に決定される。
【００４５】
ユーザは、画面に清掃対象領域とともに表示される単一の線Ｌを視認でき、画面上を線Ｌに沿って指や布を移動させれば清掃対象領域の清掃を漏れなく行なうことができる。また、線Ｌが単一であるため、清掃するユーザに対して画面の異なる領域を同時にタッチする動作を行わないように誘導することができる。こうすれば、タッチパネルが画面の２点を同時に検出できない検出方式であっても、ユーザは、線Ｌに沿って画面の清掃が行なわれることで清掃された領域を正確に検出することができる。
【００４６】
図８に示すように、清掃支援表示作成部２７は、清掃対象領域Ｄのタッチ回数に応じて、該清掃対象領域Ｄと単一の線Ｌとの重複部分の表示形式を変更してもよい。例えば、清掃対象領域Ｄと単一の線Ｌとの重複部分の線Ｌを太くすることで強調して表示することができる。清掃対象領域Ｄのタッチ回数が多いものは少ないものに比べて汚れていると考えられるため、表示装置１０は、清掃対象領域Ｄを通過する線Ｌは、該清掃対象領域Ｄのタッチ回数の多さに比例して、その太さを変更して表示する。ユーザは、線Ｌを視認することで、清掃するための軌跡だけでなく、清掃対象領域Ｄそれぞれの汚れ具合を把握することができる。
【００４７】
清掃対象領域Ｄと単一の線Ｌとの重複部分の表示形式を変更する方法としては、特に限定されず、線Ｌの表示色を変更する方法や、画面において視覚的に認識可能な範囲であれば重複部分の表示形式はその他の方法を用いて変更してもよい。
【００４８】
図９は、画面に対するタッチの面積に応じてタッチ回数の更新処理を変更する例を示す図である。
タッチ面積判定部２６は、画面においてタッチされた領域に含まれる１つ又は複数の検出エリアの位置情報に基いて、検出エリアの数をタッチ面積と規定する。そして、タッチ面積の大きさを予め設定された範囲と比較することで、画面にタッチをした物体が何であるか判定する。
【００４９】
図９に示すように、一般的にタッチペンなどの入力手段は、指に比べてタッチ面積は小さくなる。ここで、タッチ面積判定部２６は、タッチ面積が検出エリア１個分に相当する場合、画面にタッチした物体をタッチペンと認識している。タッチペンで画面をタッチした場合には、指に比べて画面に汚れがつきにくい。このため、タッチ面積判定部２６は、画面にタッチした物体をタッチペンと認識すると、タッチ回数カウント部２２にタッチした物体がタッチペンであるためタッチ回数の更新を禁止するように指示信号を提供する。タッチ回数カウント部２２は、タッチ回数の更新を禁止する指示信号に基いて、タッチされた領域についてタッチの回数を更新しない処理を実行する。なお、表示装置１０は、表示指示部２８を介して表示部１２を制御し、タッチしている物体がタッチペンであることを示す情報を画面に表示してもよい。
【００５０】
タッチ面積判定部２６は、タッチ面積が検出エリア４個分に相当する場合、画面にタッチした物体を指と認識している。指で画面をタッチした場合には、タッチペンに比べて画面に汚れがつきやすい。このため、タッチ面積判定部２６は、画面にタッチした物体を指と認識すると、タッチ回数カウント部２２にタッチした物体が指であるためタッチ回数の更新を許可する。タッチ回数カウント部２２は、既に説明した通常の手順に従って、タッチされた領域についてタッチの回数を更新する。なお、表示装置１０は、表示指示部２８を介して表示部１２を制御し、タッチしている物体が指であることを示す情報を画面に表示してもよい。
【００５１】
タッチ面積判定部２６は、タッチ面積が検出エリア１６個分以上に相当する場合、画面にタッチした物体を清掃の動作を行なう布等の面が接触している認識している。タッチ面積判定部２６は、画面にタッチした物体が布等の面である認識すると、タッチ回数カウント部２２にタッチ回数の更新を禁止するように指示信号を提供する。タッチ回数カウント部２２は、タッチ回数の更新を禁止する指示信号に基いて、タッチされた領域についてタッチの回数を更新しない処理を実行する。または、清掃により画面の汚れがなくなったとしてタッチの回数を０回に更新してもよい。なお、表示装置１０は、表示指示部２８を介して表示部１２を制御し、タッチが清掃の動作であることを示す情報を画面に表示してもよい。
【００５２】
指やタッチペンを認識するための、タッチ面積に相当する検出エリアの数は、上記例に限定されず、ユーザの設定によって適宜変更してもよい。
【００５３】
図１０は、画面に触れている指が画面上を移動している状態を説明する図である。
表示装置１０は、画面に触れている指が画面上を移動していると判断すると、画面に表示されているタッチ入力領域１４ａを、指がタッチしても有効な入力として検出しない不感状態に設定する機能を有している。画面に触れている物体としては指だけではなく、布などでもよい。
【００５４】
具体的には、表示制御部２０は、タッチされた領域の位置情報が該タッチされた領域に隣接する領域の位置情報に逐次変化していることを検出する。画面をタッチしている指を画面上でそのまま移動させると、指の移動に応じてタッチされた領域に含まれる検出エリアの位置情報が該位置情報に隣接する位置情報に逐次変化していく。表示制御部２０は、タッチされた領域の位置情報が逐次変化していることを検出した場合に、画面が拭かれているものと判断する。そして、表示制御部２０は、画面にタッチによって入力が行なわれるためのタッチ入力領域１４ａが表示されているときには、タッチ入力領域１４ａに指のタッチが検出されてユーザが意図しない入力が実行されないようにするため、タッチ入力領域１４ａを不感状態に設定する。
【００５５】
不感状態に設定する方法としては、タッチ入力領域１４ａに対応するタッチパネル１４の検出エリアの起動をオフ状態にする方法や、タッチ入力領域１４ａの検出エリアの検出信号を無効として処理する方法などがある。
【００５６】
なお、不感状態に設定する領域としては、タッチ入力領域１４ａに限定されず、その他の画面の一部の領域又は全領域としてもよい。
【００５７】
図１１は、画面の一部を不感状態に設定する手順を示すフローチャートである。
先ず、タッチパネルの画面にタッチの有無を検出する（ステップＳ２１）。画面にタッチされた領域がある場合には、該タッチされた領域の位置情報に基いて、該位置情報の逐次変化の有無を判定する（ステップＳ２２）。
【００５８】
タッチされた領域の位置情報が逐次変化していると判定されると、画面が拭かれていると判断し、画面に表示されているタッチ入力領域１４ａ（例えば、表示ボタン）を不感状態に設定する（ステップＳ２３）。
【００５９】
タッチされた領域の位置情報が逐次変化していないと判定されると、通常どおり、タッチされた領域の位置情報に基いて該タッチされた領域のタッチ回数の更新を行なう。
【００６０】
タッチ入力領域１４ａを不感状態に設定した場合、位置情報の逐次変化が検出されない状態になったとき、又は、不感状態に設定してから所定時間経過したとき、不感状態の設定の解除を行なうか判定する（ステップＳ２４）。不感状態の設定の解除を行なわない場合、引き続き、タッチ入力領域１４ａの設定を不感状態に維持する。
【００６１】
不感状態の設定の解除を行なう場合には、タッチ入力領域１４ａの設定を通常モードと同様に、タッチされた領域に含まれる検出エリアの検出信号に応じて処理を行なう。
【００６２】
不感状態の設定の解除を行なった後、タッチされた領域のうち位置情報が逐次変化した領域を清掃されたものと判断し、位置情報が逐次変化した領域の位置情報に基いて、清掃状態情報のタッチ回数を０回に更新してもよい（ステップＳ２５）。
【００６３】
次に、表示装置の他の変形例を説明する。表示装置１０は、電源をＯＦＦにして一部の機能の動作を禁止するとともに、画面のタッチの検出を含む一部の機能だけを許可する省電力モードに実行することができる。こうすれば、表示装置１０を使用しないときに省電力モードにすることで、電力消費を抑えるとともに画面のタッチのみを検出できる。
【００６４】
図１２は、省電力モードの動作の手順の一例を示すフローチャートである。
最初に、省電力モードに設定する（ステップＳ３１）。省電力モードは、ユーザの操作や表示装置の制御によって設定される。省電力モードを表示装置の制御によって設定する場合には、例えば、画面での表示などの処理から一定時間だけ何の処理も行われなかったときに自動的に省電力モードに設定する。
【００６５】
省電力モードの間は、画面のタッチがタッチパネル１４によって検出される（ステップＳ３２）。
【００６６】
タッチパネル１４の検出に基づいて、表示制御部２０がタッチされた領域の位置情報と、該位置情報に基づいてタッチされた領域のタッチ回数を更新し、記憶部１６に記憶する（ステップＳ３３）。このタッチの検出の動作は、タッチが検出されるたびに繰り返し行われる。
【００６７】
次に、表示装置１０の電源ＯＦＦの状態であるか判別する（ステップＳ３４）。電源ＯＦＦであるときには、画面に表示を行なう機能は禁止され、ステップＳ３２に戻り、画面のタッチのみを検出する状態が維持される。
【００６８】
表示装置１０の電源ＯＮになると、ステップＳ３５に進み、清掃モード実行するかどうかを判別する（ステップＳ３５）。電源ＯＦＦの間に、タッチされた領域が規定数以上に達している場合には、このタッチされた領域が清掃対象領域に設定されており、該清掃対象領域が存在する旨が画面に表示される。清掃モードを実行しない場合には、ステップＳ３２に戻る。
【００６９】
清掃モードが開示されると、画面に清掃対象領域が表示される（ステップＳ３６）。清掃対象領域の表示の方法は、既に述べた例と同じである。そして、清掃対象領域が清掃されると、清掃した領域のタッチ回数を更新する（ステップＳ３７）。
【００７０】
本発明の表示装置の説明では、以下の内容を開示している。
（１）表示を行なう画面を備えた表示装置であって、
前記画面にタッチすることで入力可能なタッチパネルが設けられた表示部と、
前記画面のタッチされた領域を示す位置情報を取得し、該位置情報に基いて前記タッチされた領域のタッチ回数を更新するタッチ回数カウント部と、
前記タッチ回数が前記規定値以上である領域のみを清掃対象領域に設定する清掃状態判定部と、
前記表示部の設定を、前記画面に前記清掃対象領域を表示させる清掃モードに切り替える表示指示部と、を備える表示装置。
【００７１】
上記表示装置によれば、ユーザが指やタッチペンで画面にタッチしたときに、画面のタッチされた領域の位置情報とタッチ回数を検出し、タッチした領域のタッチ回数に基いて頻繁にタッチされる領域を清掃対象領域として設定し、清掃対象領域を画面に表示することができる。ユーザは、画面に表示された清掃対象領域を視認することで、画面内のどの領域が汚れているのかを判断することができる。また、ユーザは、画面に表示された清掃対象領域のみを清掃すればよく、画面の全体を清掃する必要がない。このため、画面の汚れ易い領域のみを重点的に清掃でき、また、汚れにくい領域等を頻繁に清掃する必要がなく、画面の全体が汚れないように清掃を効率良く行なうことができる。
【００７２】
（２）上記（１）に記載の表示装置であって、
前記清掃状態判定部によって、前記画面の前記タッチされた領域ごとに前記タッチ回数を関連付けた清掃状態情報が作成され、前記清掃状態情報が記憶される記憶部を備える表示装置。
【００７３】
上記構成によれば、清掃状態情報を参照することで、タッチされた領域と該タッチされた領域のタッチ回数とを識別することができる。
【００７４】
（３）上記（１）又は（２）に記載の表示装置であって、
前記タッチパネルが前記画面を分割する複数の検出エリアを有し、前記複数の検出エリアそれぞれに前記位置情報が設定されている表示装置。
【００７５】
上記構成によれば、タッチされた領域に含まれる検出エリアから位置情報を取得することで、タッチされた領域の位置を正確に特定することができる。
【００７６】
（４）上記（３）に記載の表示装置であって、
前記タッチ回数カウント部が、前記タッチされた領域に含まれる検出エリアの前記位置情報に基いて、前記検出エリアの前記タッチ回数を更新し、
前記清掃状態判定部が、前記検出エリアのうち前記タッチ回数が前記規定値以上の検出エリアを前記清掃対象領域に設定する表示装置。
【００７７】
上記構成によれば、検出エリアのタッチ回数によって、清掃対象領域を正確に設定することができる。
【００７８】
（５）上記（１）から（４）のいずれか１つに記載の表示装置であって、
前記画面に前記清掃対象領域が分離して複数表示された場合に、全部の前記清掃対象領域を少なくとも一回は通過する単一の線を算出する清掃支援表示作成部を備え、前記画面の清掃が行なわれる際に前記線を前記画面に表示する表示装置。
【００７９】
上記構成によれば、タッチパネルが画面の２点を同時に検出できない検出方式であっても、ユーザは、線Ｌに沿って画面の清掃が行なわれることで清掃された領域を正確に検出することができる。
【００８０】
（６）上記（５）に記載の表示装置であって、
前記清掃支援表示作成部が、前記清掃対象領域の前記タッチ回数に応じて、該清掃対象領域と前記単一の線との重複部分の表示形式を変更する表示装置。
【００８１】
上記構成によれば、ユーザは、線Ｌを視認することで、清掃するための軌跡だけでなく、清掃対象領域Ｄそれぞれの汚れ具合を把握することができる。
【００８２】
（７）上記（１）から（６）のいずれか１つに記載の表示装置であって、
前記画面に対するタッチの面積を検出し、前記面積が所定の範囲内である場合には指によるタッチであると判断して前記タッチされた領域の前記タッチ回数の更新を許可し、前記面積が所定の範囲外である場合には指以外によるタッチであると判断して前記タッチされた領域の前記タッチ回数の更新を禁止するタッチ面積判定部を備える表示装置。
【００８３】
上記構成によれば、画面にタッチする物体が、指か指以外の画面に与える汚れの影響が少ない入力手段であるかを判別することで、清掃対象領域をより一層正確に設定することができる。
【００８４】
（８）上記（１）から（７）のいずれか１つに記載の表示装置であって、
前記画面にタッチによって入力が行なわれるためのタッチ入力領域が表示されている状態で、前記タッチされた領域の前記位置情報が該タッチされた領域に隣接する領域の前記位置情報に逐次変化していることを検出すると、前記タッチ入力領域のタッチを入力として検出する処理を禁止する不感状態に変更する表示装置。
【００８５】
上記構成によれば、ユーザが画面を拭いている際に、タッチ入力領域をタッチしてしまうことで、意図しない入力指示が実行されてしまうことを回避することができる。
【００８６】
（９）上記（１）から（８）のいずれか１つに記載の表示装置であって、
前記画面のタッチの検出を含む一部の機能だけを許可する省電力モードに設定し、前記省電力モードの間、前記タッチされた領域の前記タッチ回数を更新する表示装置。
【００８７】
上記構成によれば、表示装置１０を使用しないときに省電力モードにすることで、電力消費を抑えるとともに画面のタッチのみを検出できる。
【符号の説明】
【００８８】
１０    表示装置
１２    表示部
１４    タッチパネル
１６    記憶部
２０    表示制御部
２２    タッチ回数カウント部
２４    清掃状態判定部
２８    表示指示部
【図１】
2010165174.tif 000003
【図２】
2010165174.tif 000004
【図３】
2010165174.tif 000005
【図４】
2010165174.tif 000006
【図５】
2010165174.tif 000007
【図６】
2010165174.tif 000008
【図７】
2010165174.tif 000009
【図８】
2010165174.tif 000010
【図９】
2010165174.tif 000011
【図１０】
2010165174.tif 000012
【図１１】
2010165174.tif 000013
【図１２】
2010165174.tif 000014